(57)【要約】【課題】無線送受信回路側とアンテナ側とを給電線路を介して接続する構成ながら、アンテナ側における複数の制御対象の無線送受信回路側からの制御を簡易な構成により実現する。【解決手段】第１アンテナ１および第２アンテナ２のいずれかをダイバーシチスイッチ３により選択する。無線送受信回路７が低雑音増幅器４を介して受信を行う受信状態と無線送受信回路７が低雑音増幅器４を介することなく送信信号を第２アンテナ２へと与える送信状態とを送受信スイッチ５により選択する。そして受信に使用するアンテナの切替えタイミングおよび送受信の切替えタイミングに同期して第１制御回路８が給電線路６への直流電圧およびパルスの重畳状態を変化させ、この重畳状態の変化に基づいて第２制御回路９によりダイバーシチスイッチ３および送受信スイッチ５の切替えを行う。【選択図】    図１
2004153310.tif 000002
【特許請求の範囲】
【請求項１】
第１アンテナと、
第２アンテナと、
前記第１アンテナで得られた受信信号および前記第２アンテナで得られた受信信号のいずれかを選択する第１選択手段と、
この第１選択手段により選択された受信信号を増幅する第１増幅手段と、
受信モード時に前記第１増幅手段の出力受信信号に対して所定の受信処理を行い、かつ送信モード時に送信信号に対して所定の送信処理を行う送受信手段と、
この送受信手段に第１端が接続され、第１状態では前記送受信手段の出力送信信号を前記第２アンテナへ伝送し、第２状態では前記第１増幅手段の出力受信信号を前記送受信手段へと伝送する伝送線路と、
この伝送線路の第２端に接続され、前記第１状態および前記第２状態のいずれかを選択する第２選択手段と、
前記送信モード時に第１レベルを示し、前記受信モード時に第２レベルを示す第１直流信号を前記伝送線路の前記第１端に供給する第１直流信号供給手段と、
アンテナ切替え命令を受ける毎にパルス信号を前記伝送線路の前記第１端に供給するパルス信号供給手段と、
前記伝送線路の前記第２端に接続され、前記パルス信号を検出する毎に前記第１アンテナで得られた受信信号および前記第２アンテナで得られた受信信号が交互に選択されるように前記第１選択手段を切替える第１切替え手段と、
前記伝送線路の前記第２端に接続され、前記第１直流信号のレベルを検出し、前記第１直流信号が前記第１レベルである時は前記第１状態を選択し、前記第１直流信号が前記第２レベルであるときには前記第２状態が選択されるよう前記第２選択手段を切替える第２切替え手段とを具備したことを特徴とする無線通信装置。
【請求項２】
前記伝送線路の前記第２端に接続され、前記第１直流信号のレベルを検出し、前記第１直流信号のレベルが前記第１レベルであるときには前記第１切替え手段が前記第１選択手段の切替えを行うことを停止させる切替え停止手段をさらに具備したことを特徴とする請求項１に記載の無線通信装置。
【請求項３】
前記第１レベルを０Ｖ、前記第２レベルを前記第１増幅手段がバイアス電圧として必要とする電圧レベルとし、
かつ前記伝送線路の前記第２端に接続され、前記第１直流信号を前記第１増幅手段に前記バイアス電圧として供給するバイアス供給手段をさらに具備したことを特徴とする請求項１または請求項２に記載の無線通信装置。
【請求項４】
第１アンテナと、
第２アンテナと、
前記第１アンテナで得られた受信信号および前記第２アンテナで得られた受信信号のいずれかを選択する第１選択手段と、
この第１選択手段により選択された受信信号を増幅する第１増幅手段と、
受信モード時に前記第１増幅手段の出力受信信号に対して所定の受信処理を行い、かつ送信モード時に送信信号に対して所定の送信処理を行う送受信手段と、
この送受信手段に第１端が接続され、第１状態では前記送受信手段の出力送信信号を前記第２アンテナへ伝送し、第２状態では前記第１増幅手段の出力受信信号を前記送受信手段へと伝送する伝送線路と、
この伝送線路の第２端に接続され、前記第１状態および前記第２状態のいずれかを選択する第２選択手段と、
前記第１アンテナの使用時に第１レベルを示し、前記第２アンテナの使用時に第２レベルを示す第１直流信号を前記伝送線路の前記第１端に供給する第１直流信号供給手段と、
前記受信モードおよび前記送信モードの切替え命令を受ける毎にパルス信号を前記伝送線路の前記第１端に供給するパルス信号供給手段と、
前記伝送線路の前記第２端に接続され、前記第１直流信号のレベルを検出し、前記第１直流信号が前記第１レベルである時は前記第１アンテナで得られた受信信号が選択され、前記第１直流信号が前記第２レベルである時は前記第２アンテナで得られた受信信号が選択されるよう前記第１選択手段を切替える第１切替え手段と、
前記伝送線路の前記第２端に接続され、前記パルス信号を検出する毎に前記第１状態および前記第２状態が交互に選択されるように前記第２選択手段を切替える第２切替え手段とを具備したことを特徴とする無線通信装置。
【請求項５】
前記伝送線路を、互いに絶縁された第１導体および第２導体を含むものとするとともに、前記送受信手段、前記第２選択手段、前記第１直流信号供給手段、前記パルス信号供給手段、前記第１切替え手段および前記第２切替え手段は前記第１導体に接続することとし、
さらに第２選択手段が前記第２状態をなすときに前記第２選択手段から前記第２アンテナへと与えられる前記送信信号を増幅する第２増幅手段と、
前記送信信号の増幅を行う増幅時に第３レベルを示し、前記送信信号の増幅を行わない非増幅時に第４レベルを示す第２直流信号を前記第１端にて前記第２導体に供給する第２直流信号供給手段と、
前記第２端にて前記第２導体に接続され、前記第２直流信号のレベルを検出し、前記第２直流信号が前記第３レベルである時は前記送信信号の増幅を行い、前記第２直流信号が前記第４レベルであるときには前記送信信号の増幅を行わないように前記第２増幅手段を制御する増幅制御手段とを具備したことを特徴とする請求項１乃至請求項４のいずれか１項に記載の無線通信装置。
【請求項６】
前記伝送線路を、互いに絶縁された第１導体および第２導体を含むものとするとともに、前記送受信手段、前記第２選択手段、前記第１直流信号供給手段、前記パルス信号供給手段、前記第１切替え手段および前記第２切替え手段は前記第１導体に接続することとし、
前記第１増幅手段は、
第１増幅周波数帯域を持つ第１増幅器と、
第２増幅周波数帯域を持つ第２増幅器と、
前記第１選択手段により選択された受信信号を前記第１増幅器および前記第２増幅器のいずれかに選択的に与える第３選択手段と、
前記第１増幅器の出力受信信号および前記第２増幅器の出力増幅信号のいずれかを前記第１増幅手段の出力受信信号として選択する第４選択手段とを具備し、
さらに受信周波数帯域を前記第１増幅周波数帯域とする時に第３レベルを示し、受信周波数帯域を前記第２増幅周波数帯域とする時に第４レベルを示す第２直流信号を前記第１端にて前記第２導体に供給する第２直流信号供給手段と、
前記第２端にて前記第２導体に接続され、前記第２直流信号のレベルを検出し、前記第２直流信号が前記第３レベルであるときには前記第１増幅器を選択し、前記第２直流信号が前記第４レベルであるときには前記第２増幅手段を選択するように前記第３選択手段および前記第４選択手段を切り替える第３切替え手段とを具備したことを特徴とする請求項１乃至請求項４のいずれか１項に記載の無線通信装置。
【請求項７】
直流成分の通過を阻止する直流阻止手段をさらに備え、
前記第２導体は前記直流阻止手段を介して接地されることを特徴とする請求項５または請求項６に記載の無線通信装置。
【請求項８】
互いに連結された第１筐体および第２筐体を有する電子機器に搭載される無線通信装置であって、
前記第１アンテナ、前記第２アンテナ、前記第１増幅手段、前記第１選択手段、前記第２選択手段、前記第１切替え手段、前記第２切替え手段および前記伝送線路の前記第２端は前記第１筐体に収容され、前記送受信手段、前記第１重畳手段、前記第２重畳手段および前記伝送線路の前記第１端は前記第２筐体に収容されることを特徴とする請求項１乃至請求項７のいずれか１項に記載の無線通信装置。
【請求項９】
前記第１アンテナと前記第１選択手段との間に挿入され、前記第１アンテナで得られた受信信号を増幅する第３増幅手段をさらに備えたことを特徴とする請求項１乃至請求項８のいずれか１項に記載の無線通信装置。
【請求項１０】
前記第１アンテナおよび前記第２アンテナの少なくとも一方はスロットアンテナであることを特徴とする請求項１乃至請求項９のいずれか１項に記載の無線通信装置。
【発明の詳細な説明】
【０００１】
【発明の属する技術分野】
この発明は、アンテナと無線送受信回路との間を給電線路により接続する無線通信装置に関する。
【０００２】
【従来の技術】
無線通信装置では、実装の都合から、無線送受信回路とアンテナとが離れて配置される場合がある。そしてこの場合には、無線送受信回路とアンテナとの間を給電線路により接続することとなる。
【０００３】
給電線路を伝送する際の信号の損失は、その信号が高周波になるほど無視できなくなってくる。特に、携帯型電子機器における無線通信で使用されるような数ＧＨｚ帯の高周波では、その影響が顕著である。このため、必要な通信品質を達成するためには、アンテナにより得られた受信信号を、給電線路で伝送するのに先立って増幅することが必要となる場合がある。さらには、ダイバーシチのためにアンテナの切替えを行う場合もある。
【０００４】
このように、給電線路よりもアンテナの側で様々な処理を行おうとすると、無線送受信回路の側から上記の様々な処理を給電線路を介して行う必要が生じる。そしてこのような制御を行うための技術としては、パルスを給電線路に重畳するものが知られている（例えば特許文献１を参照）。
【０００５】
【特許文献１】
特開平１１−２１５０１８号公報
【０００６】
【発明が解決しようとする課題】
ところが上記の特許文献１の技術によると、パルスの電圧レベル、またはパルス幅を変化させて異なる制御対象の制御を行うようにしているために、パルスの発生回路には電圧レベルまたはパルス幅を変化させる機能を、またパルスの検出回路には電圧レベルまたはパルス幅を識別する機能をそれぞれ備えることが必要となり、それらの回路が複雑になってしまうという不具合があった。
【０００７】
本発明はこのような事情を考慮してなされたものであり、その目的とするところは、無線送受信回路側とアンテナ側とを給電線路を介して接続する構成ながら、アンテナ側における複数の制御対象の無線送受信回路側からの制御を簡易な構成により実現できる無線通信装置を提供することにある。
【０００８】
【課題を解決するための手段】
以上の目的を達成するためにの本発明は、第１アンテナと、第２アンテナと、前記第１アンテナで得られた受信信号および前記第２アンテナで得られた受信信号のいずれかを選択する第１選択手段と、この第１選択手段により選択された受信信号を増幅する第１増幅手段と、受信モード時に前記第１増幅手段の出力受信信号に対して所定の受信処理を行い、かつ送信モード時に送信信号に対して所定の送信処理を行う送受信手段と、この送受信手段に第１端が接続され、第１状態では前記送受信手段の出力送信信号を前記第２アンテナへ伝送し、第２状態では前記第１増幅手段の出力受信信号を前記送受信手段へと伝送する伝送線路と、この伝送線路の第２端に接続され、前記第１状態および前記第２状態のいずれかを選択する第２選択手段と、前記送信モード時または前記第１アンテナの使用時に第１レベルを示し、前記受信モード時または前記第２アンテナの使用時に第２レベルを示す第１直流信号を前記伝送線路の前記第１端に供給する第１直流信号供給手段と、アンテナ切替え命令または前記受信モードおよび前記送信モードの切替え命令を受ける毎にパルス信号を前記伝送線路の前記第１端に供給するパルス信号供給手段と、前記伝送線路の前記第２端に接続され、前記パルス信号を検出する毎に前記第１アンテナで得られた受信信号および前記第２アンテナで得られた受信信号が交互に選択されるように前記第１選択手段を切替えるか、または前記第１直流信号が前記第１レベルである時は前記第１アンテナで得られた受信信号が選択され、前記第１直流信号が前記第２レベルである時は前記第２アンテナで得られた受信信号が選択されるように前記第１選択手段を切替える第１切替え手段と、前記伝送線路の前記第２端に接続され、前記第１直流信号が前記第１レベルである時は前記第１状態を選択し、前記第１直流信号が前記第２レベルであるときには前記第２状態が選択されるよう前記第２選択手段を切替えるか、または前記パルス信号を検出する毎に前記第１状態および前記第２状態が交互に選択されるように前記第２選択手段を切替える第２切替え手段とを備えた。
【０００９】
このような手段を講じたことにより、送受信手段が受信を行うために用いるアンテナとして第１アンテナおよび第２アンテナのいずれかが電送線路の第２端側で第１選択手段により選択される。また送受信手段が第１増幅手段を介して受信を行う受信状態と送受信手段が上記第１増幅手段を介することなく送信信号を第２アンテナへと与える送信状態とが伝送線路の第２端側で第２選択手段により選択される。そしてこれら第１選択手段および第２選択手段の切替えは、伝送線路の第１端に供給される第１直流電圧およびパルスに基づいて第２端側にて第１切替え手段および第２切替え手段により行われる。
【００１０】
別の本発明は、前記伝送線路の前記第２端に接続され、前記第１直流信号のレベルを検出し、前記第１直流信号のレベルが前記第１レベルであるときには前記第１切替え手段が前記第１選択手段の切替えを行うことを停止させる切替え停止手段を備えた。
【００１１】
このような手段を講じたことにより、前記第１切替え手段は、第１直流信号が第１レベルであるとき、すなわち送信モード時には前記第１選択手段を切替えるための動作が停止される。
【００１２】
別の本発明は、前記第１レベルを０Ｖ、前記第２レベルを前記第１増幅手段がバイアス電圧として必要とする電圧レベルとし、かつ前記伝送線路の前記第２端に接続され、前記第１直流信号を前記第１増幅手段に前記バイアス電圧として供給するバイアス供給手段をさらに備えた。
【００１３】
このような手段を講じたことにより、伝送線路の第１端に供給された第１直流信号が伝送線路の第２端側に設けられた第１増幅手段のバイアス電圧としてそのまま使用されることとなり、第１増幅手段は第１直流信号が第２レベルである時、すなわち受信モード時にのみ増幅を行う。
【００１４】
別の本発明は、前記伝送線路を、互いに絶縁された第１導体および第２導体を含むものとするとともに、前記送受信手段、前記第２選択手段、前記第１直流信号供給手段、前記パルス信号供給手段、前記第１切替え手段および前記第２切替え手段は前記第１導体に接続することとし、さらに第２選択手段が前記第２状態をなすときに前記第２選択手段から前記第２アンテナへと与えられる前記送信信号を増幅する第２増幅手段と、前記送信信号の増幅を行う増幅時に第３レベルを示し、前記送信信号の増幅を行わない非増幅時に第４レベルを示す第２直流信号を前記第１端にて前記第２導体に供給する第２直流信号供給手段と、前記第２端にて前記第２導体に接続され、前記第２直流信号のレベルを検出し、前記第２直流信号が前記第３レベルである時は前記送信信号の増幅を行い、前記第２直流信号が前記第４レベルであるときには前記送信信号の増幅を行わないように前記第２増幅手段を制御する増幅制御手段とを備えた。
【００１５】
このような手段を講じたことにより、さらに送信信号の増幅が伝送線路の第２端側で第２増幅手段により行われる。第２増幅手段の動作の制御は、伝送線路の第２端にて第２導体に供給される第２直流電圧に基づいて第２端側にて第３切替え手段により行われる。
【００１６】
別の本発明は、前記伝送線路を、互いに絶縁された第１導体および第２導体を含むものとするとともに、前記送受信手段、前記第２選択手段、前記第１直流信号供給手段、前記パルス信号供給手段、前記第１切替え手段および前記第２切替え手段は前記第１導体に接続することとし、前記第１増幅手段は、第１増幅周波数帯域を持つ第１増幅器と、第２増幅周波数帯域を持つ第２増幅器と、前記第１選択手段により選択された受信信号を前記第１増幅器および前記第２増幅器のいずれかに選択的に与える第３選択手段と、前記第１増幅器の出力受信信号および前記第２増幅器の出力増幅信号のいずれかを前記第１増幅手段の出力受信信号として選択する第４選択手段とを備え、さらに受信周波数帯域を前記第１増幅周波数帯域とする時に第３レベルを示し、受信周波数帯域を前記第２増幅周波数帯域とする時に第４レベルを示す第２直流信号を前記第１端にて前記第２導体に供給する第２直流信号供給手段と、前記第２端にて前記第２導体に接続され、前記第２直流信号のレベルを検出し、前記第２直流信号が前記第３レベルであるときには前記第１増幅器を選択し、前記第２直流信号が前記第４レベルであるときには前記第２増幅手段を選択するように前記第３選択手段および前記第４選択手段を切り替える第３切替え手段とを備えた。
【００１７】
このような手段を講じたことにより、受信信号を増幅するための増幅器として第１増幅器および第２増幅器のいずれかが第３選択手段および第４選択手段により選択される。第１増幅器および第２増幅器の選択は、伝送線路の第２端にて第２導体に供給される第２直流電圧に基づいて第２端側にて第３切替え手段により行われる。
【００１８】
【発明の実施の形態】
以下、図面を参照して本発明の実施形態につき説明する。
【００１９】
（第１の実施形態）
図１は第１実施形態に係る無線通信装置の要部のブロック図である。
この図１に示すように第１実施形態の無線通信装置は、第１アンテナ１、第２アンテナ２、ダイバーシチスイッチ３、低雑音増幅器４、送受信スイッチ５、給電線路６、無線送受信回路７、第１制御回路８および第２制御回路９を含む。
【００２０】
第１アンテナ１および第２アンテナ２は、いずれもダイバーシチスイッチ３に接続される。第２アンテナ２は、送受信スイッチ５にも接続される。第１アンテナ１および第２アンテナ２は、空間中を伝搬してきた電磁波を受けて受信信号を出力する。また第２アンテナ２は、送受信スイッチ５を介して供給される送信信号を電磁波として空間へと放射する。第１アンテナ１および第２アンテナ２としては、モノポールアンテナや逆Ｆアンテナなどの線状アンテナ、あるいはホーンアンテナやパラボラアンテナなどの開口アンテナなどのような種々のアンテナを用いることができる。
【００２１】
ダイバーシチスイッチ３は、第１アンテナ１から出力される受信信号および第２アンテナ２から出力される受信信号を第２制御回路９から与えられる直流電圧の高低に応じて選択的に低雑音増幅器４へと与える。
【００２２】
低雑音増幅器４は、第１アンテナ１および第２アンテナ２から出力されてダイバーシチスイッチ３を介して与えられる無線周波数の受信信号の振幅を、第２制御回路９から与えられる電力によって増幅する。低雑音増幅器４は、給電線路６での損失分を補償可能な利得を持つ。低雑音増幅器４で増幅された後の受信信号は送受信スイッチ５へと与えられる。
【００２３】
送受信スイッチ５は、低雑音増幅器４から与えられる受信信号を給電線路６へと出力する状態と、給電線路６を介して到来する信号を第２アンテナ２へと供給する状態とを第２制御回路９から与えられる直流電圧の高低に応じて選択的になす。前者の状態は受信を行える状態であるから、送受信スイッチ５は受信側を選択していることとなる。また後者の状態は送信を行える状態であるから、送受信スイッチ５は送信側を選択していることとなる。
【００２４】
給電線路６は、例えば同軸ケーブルのような複数の導体から構成されるものである。本実施形態における給電線路６は、互いに絶縁された信号線路６ａおよび被覆線路６ｂから構成される。送受信スイッチ５を介しては、信号線路６ａへと受信信号が与えられる。信号線路６ａは、この受信信号を無線送受信回路７へと伝送する。また信号線路６ａへは、無線送受信回路７から無線周波数の送信信号が与えられる。信号線路６ａは、この送信信号を送受信スイッチ５へと伝送する。
【００２５】
無線送受信回路７は、信号線路６ａを介して伝送されてくる受信信号に関して、例えば復調処理などのような所定の受信処理を施す。また無線送受信回路７は、変調処理などのような所定の送信処理を実行して上記の送信信号を得る。さらに無線送受信回路７は、受信処理や送信処理を行うに当りダイバーシチのためのアンテナ切替えや送受信切替えを行う必要が生じた場合に、その旨を第１制御回路８へと通知する。
【００２６】
第１制御回路８は、信号線路６ａへと直流電圧およびパルスを重畳する。第１制御回路８は、無線送受信回路７からの上記の通知に基づき、ダイバーシチのためのアンテナ切替えを行うべきタイミングに同期して、信号線路６ａへの直流電圧の重畳をＯＮ／ＯＦＦする。また第１制御回路８は、無線送受信回路７からの上記の通知に基づき、送受信切替えを行うべきタイミングに同期して、信号線路６ａへとパルスを重畳する。このパルスは無線周波数よりも高い周波数成分を含むものである。
【００２７】
第２制御回路９は、信号線路６ａに重畳されたパルスが検出される毎に、ダイバーシチスイッチ３へ与える直流電圧のレベルを変化させる。第２制御回路９は、信号線路６ａに重畳された直流電圧を低雑音増幅器４および送受信スイッチ５へ与える直流電圧として出力する。
【００２８】
図２は第１制御回路８および第２制御回路９の具体的な構成のブロック図である。
この図２に示すように、第１制御回路８は、パルス・直流電圧発生回路８ａ、低域通過フィルタ（ＬＰＦ）８ｂおよび高域通過フィルタ（ＨＰＦ）８ｃを含む。第２制御回路９は、低域通過フィルタ（ＬＰＦ）９ａ、高域通過フィルタ（ＨＰＦ）９ｂおよび非同期Ｔフリップフロップ（ＦＦ）９ｃを含む。
【００２９】
パルス・直流電圧発生回路８ａは、所定電圧の直流電圧を発生するもので、この直流電圧の発生を無線送受信回路７からの通知に応じてＯＮ／ＯＦＦする機能を備える。またパルス・直流電圧発生回路８ａは、単発のパルスを無線送受信回路７からの通知に応じた任意のタイミングで発生する。パルス・直流電圧発生回路８ａは、上記の直流電圧を低域通過フィルタ８ｂへと与え、また上記のパルスを高域通過フィルタ８ｃへと与える。
【００３０】
低域通過フィルタ８ｂは、例えばコイルなどを用いてなり、無線周波数よりも低い周波数のみを通過させる。すなわち低域通過フィルタ８ｂは、パルス・直流電圧発生回路８ａから与えられる直流電圧に含まれる無線周波数以上の周波数成分を阻止し、直流電圧のみを信号線路６ａへと重畳する。またこの低域通過フィルタ８ｂにより、パルスや無線周波数の信号がパルス・直流電圧発生回路の直流電圧出力端子に入力されることが防止される。
【００３１】
逆に高域通過フィルタ８ｃは、例えばコンデンサなどを用いてなり、無線周波数よりも高い周波数のみを通過させる。すなわち高域通過フィルタ８ｃは、パルス・直流電圧発生回路８ａから与えられるパルスに含まれる無線周波数の成分や直流電圧を阻止し、無線周波数よりも高い周波数成分からなるパルスを信号線路６ａへと重畳する。またこの高域通過フィルタ８ｃにより、直流電圧や無線周波数の信号がパルス・直流電圧発生回路のパルス出力端子に入力されることが防止される。
【００３２】
一方、第２制御回路９において低域通過フィルタ９ａおよび高域通過フィルタ９ｂへは、信号線路６ａを伝送される信号が入力される。
低域通過フィルタ９ａは、例えばコイルなどを用いてなり、無線周波数よりも低い周波数のみを通過させる。すなわち低域通過フィルタ９ａは、信号線路６ａを伝送する信号のうちの無線周波数以上の周波数成分を阻止し、直流電圧を抽出する。低域通過フィルタ９ａにより抽出された直流電圧は、低雑音増幅器４、送受信スイッチ５および非同期Ｔフリップフロップ９ｃへとそれぞれ与えられる。
【００３３】
高域通過フィルタ９ｂは、例えばコンデンサなどを用いてなり、無線周波数よりも高い周波数のみを通過させる。すなわち高域通過フィルタ９ｂは、信号線路６ａを伝送する信号のうちの無線周波数の成分や直流電圧を阻止し、無線周波数よりも高い周波数成分からなるパルスを抽出する。高域通過フィルタ９ｂにより抽出されたパルスは非同期Ｔフリップフロップ９ｃの入力端子へと与えられる。
【００３４】
非同期Ｔフリップフロップ９ｃは、低域通過フィルタ９ａから与えられる直流電圧により動作する。非同期Ｔフリップフロップ９ｃは、入力端子に与えられるパルスの立ち上がりを検出して、出力端子からの直流電圧の出力をＯＮ／ＯＦＦする。非同期Ｔフリップフロップ９ｃが出力する直流電圧は、ダイバーシチスイッチ３へと与えられる。
【００３５】
次に以上のように構成された無線通信装置の動作につき説明する。なお、信号の送受信に係る動作については従来よりある無線通信装置と同様であるのでその説明は省略し、ここではダイバーシチのためのアンテナ切替えおよび送受信切替えに係る動作について詳しく説明する。
【００３６】
受信を行うべき状態にあるとき、パルス・直流電圧発生回路８ａは直流電圧の出力をＯＮとする。これにより受信を行うべき状態にあるときには、図３における期間Ｐ１〜Ｐ３のように、信号線路６ａへと所定電圧（ここでは３Ｖとする）の直流電圧が重畳されている。この直流電圧は、信号線路６ａを介して第２制御回路９へと到達し、低域通過フィルタ９ａにより抽出される。そして低域通過フィルタ９ａにより抽出された直流電圧は、低雑音増幅器４および送受信スイッチ５へと与えられる。送受信スイッチ５は直流電圧が第２制御回路９から与えられていると、低雑音増幅器４から出力される受信信号を信号線路６ａへと出力する状態をなす。すなわち図３に示すように期間Ｐ１〜Ｐ３においては、送受信スイッチ５は受信側を選択している。また低雑音増幅器４は直流電圧が第２制御回路９から与えられているとバイアス電圧が得られているから、ダイバーシチスイッチ３を介して与えられる受信信号の増幅を行うことができる。すなわち図３に示すように期間Ｐ１〜Ｐ３においては、低雑音増幅器４は動作をＯＮした状態となっている。非同期Ｔフリップフロップ９ｃも同様に動作をＯＮした状態である。
【００３７】
このようにして受信を行うべき状態にあるときには、第１アンテナ１または第２アンテナ２で得られた受信信号が低雑音増幅器４で増幅された上で、この増幅後の受信信号が信号線路６ａを介して無線送受信回路７へと与えられ、受信が行われる。
【００３８】
ところでこのような受信状態にあって、図３における期間Ｐ１においては非同期Ｔフリップフロップ９ｃが直流電圧を出力する状態にあるとすると、ダイバーシチスイッチ３は第１アンテナ１を選択している。従って図３における期間Ｐ１においては受信のために第１アンテナ１が使用される。
【００３９】
この状態から、例えば受信品質が大幅に低下するなどのアンテナ切替えに関する所定条件が成立した場合、無線送受信回路７がアンテナ切替えを第１制御回路８に対して命令する。そうすると第１制御回路８にてパルス・直流電圧発生回路８ａがパルスを発生し、このパルスを高域通過フィルタ８ｃへと与える。かくして図３における時刻Ｔａのように、信号線路６ａへとパルスが重畳されることとなる。このパルスは信号線路６ａを介して第２制御回路９へと到達し、高域通過フィルタ９ｂにより抽出される。そして高域通過フィルタ９ｂにより抽出されたパルスは、非同期Ｔフリップフロップ９ｃの入力端子へと与えられる。そうすると非同期Ｔフリップフロップ９ｃは、直流電圧の出力をＯＦＦする。この結果、図３の時刻Ｔａのように、ダイバーシチスイッチ３が第２アンテナ２を選択するよう切り替わる。従ってこののちは、受信のために第２アンテナ２が使用される。
【００４０】
この状態から、またアンテナ切替えに関する所定条件が成立し、無線送受信回路７がアンテナ切替えを第１制御回路８に対して命令すると、図３の時刻Ｔｂのように前述と同様にして信号線路６ａへとパルスが重畳され、このパルスが非同期Ｔフリップフロップ９ｃの入力端子へと与えられる。そうすると非同期Ｔフリップフロップ９ｃは、直流電圧の出力をＯＮする。この結果、図３の時刻Ｔｂのように、ダイバーシチスイッチ３が第１アンテナ１を選択するよう切り替わる。従ってこののちは、受信のために第１アンテナ１が使用される。
【００４１】
一方、以上のような受信状態にあるときに送信を行うことが必要となったならば、無線送受信回路７が送信状態への切替えを第１制御回路８に対して命令する。この命令を受けて第１制御回路８においてパルス・直流電圧発生回路８ａは、図３の時刻Ｔｃのように直流電圧の出力をＯＦＦする。そうすると、第２制御回路９において低域通過フィルタ９ａでは直流電圧が抽出できなくなり、低雑音増幅器４、送受信スイッチ５および非同期Ｔフリップフロップ９ｃへの直流電圧の供給が停止される。このため送受信スイッチ５は、信号線路６ａを介して到来する送信信号を第２アンテナ２へと与える状態に切り換わる。すなわち、送受信スイッチ５は図３に示すように時刻Ｔｃにおいて送信側に切り換わる。また、低雑音増幅器４はバイアス電圧が得られなくなるため、図３に示すように動作を停止する。非同期Ｔフリップフロップ９ｃも動作を停止する。従ってこののちには、無線送受信回路７から出力される送信信号が信号線路６ａおよび送受信スイッチ５を介して第２アンテナ２へと供給される。そしてこの送信信号が、第２アンテナ２から電磁波として空間へと放射されることで送信が行われる。このため図３における期間Ｐ４においては、この無線通信装置は送信状態となる。
【００４２】
このような送信状態にあるときに受信を行うことが必要となったならば、無線送受信回路７が受信状態への切替えを第１制御回路８に対して命令する。この命令を受けて第１制御回路８においてパルス・直流電圧発生回路８ａは、図３の時刻Ｔｄのように直流電圧の出力をＯＮする。そうすると、第２制御回路９において低域通過フィルタ９ａでは直流電圧が抽出できるようになり、低雑音増幅器４、送受信スイッチ５および非同期Ｔフリップフロップ９ｃへの直流電圧の供給が再開される。このため図３における期間Ｐ５においてはこの無線通信装置は前述のような受信状態に戻る。
【００４３】
このように第１実施形態によれば、受信時には、信号線路６ａを伝送するのに先立って低雑音増幅器４により受信信号の増幅を行うことで、信号線路６ａでの伝送損失を補償することができる。これにより、耐雑音性能を向上させて、受信品質を向上することができる。そして送信時には、低雑音増幅器４を介することなく送信信号を第２アンテナ２へと供給することが可能である。
【００４４】
また、受信時には、第１アンテナ１および第２アンテナ２を選択的に使用することができるので、受信状態のより良いアンテナを使用することで受信品質を向上することができる。
【００４５】
この上で第１実施形態によれば、送受信切替えおよびアンテナ切替えのために制御線路を増設する必要がない。そして第２制御回路９は、直流電圧の有無およびパルスの検出に基づいて送受信切替えおよびアンテナ切替えを行うので、第２制御回路９では直流電圧の電圧レベルやパルスの電圧レベルおよびパルス幅などを識別する必要がなく、図２に示すような簡易な構成によりダイバーシチ切替えおよび送受信切替えの実現が可能である。なお、送受信切替えおよびアンテナ切替えのために信号線路６ａに重畳する直流電圧およびパルスは無線周波数を含まないため、信号線路６ａを伝送される無線周波数の受信信号および送信信号を劣化させることはない。
【００４６】
また、低雑音増幅器４および非同期Ｔフリップフロップ９ｃは能動素子であるため動作電圧を必要とするが、この第１実施形態では送受信切替えの制御のための直流電圧の電圧レベルを低雑音増幅器４および非同期Ｔフリップフロップ９ｃの動作電圧と同一とするとともに、受信状態にて直流電流を信号線路６ａへと重畳することとしていることで、この直流電圧をそのまま供給することで低雑音増幅器４および非同期Ｔフリップフロップ９ｃを動作させることが可能となっていて、これらの動作電圧を供給するための電源線路を増設する必要もない。また、送信状態では第２制御回路９にて直流電圧を抽出できないことから、不要である低雑音増幅器４および非同期Ｔフリップフロップ９ｃの動作が停止することとなって、低消費電力化も達成することが可能となっている。
【００４７】
（第２の実施形態）
図４は第２実施形態に係る無線通信装置の要部のブロック図である。なお、図１と同一部分には同一符号を付し、その詳細な説明は省略する。
【００４８】
この図４に示すように第２実施形態の無線通信装置は、第１アンテナ１、第２アンテナ２、ダイバーシチスイッチ３、低雑音増幅器４、送受信スイッチ５、給電線路６、無線送受信回路７、電力増幅器１０、第１制御回路１１および第２制御回路１２を含む。すなわち第２実施形態の無線通信装置は、第１実施形態の無線通信装置における第１制御回路８および第２制御回路９に代えて第１制御回路１１および第２制御回路１２をそれぞれ備えるとともに、さらに電力増幅器１０を新たに備える。
【００４９】
電力増幅器１０は、第２アンテナ２と送受信スイッチ５との間に介挿して設けられている。電力増幅器１０は、送受信スイッチ５を介して第２アンテナ２へと供給される送信信号を増幅する。
【００５０】
第１制御回路１１は、第１実施形態における第１制御回路８と同様な機能に加えて、被覆線路６ｂへと直流電圧を重畳する機能を有する。第１制御回路１１は、送信信号を増幅する必要の有無に応じて被覆線路６ｂへの直流電圧の重畳をＯＮ／ＯＦＦする。
【００５１】
第２制御回路１２は、第１実施形態における第２制御回路９と同様な機能に加えて、被覆線路６ｂに重畳された直流電圧を抽出して電力増幅器１０にバイアス電圧として与える機能を備える。
【００５２】
図５は第１制御回路１１および第２制御回路１２の具体的な構成のブロック図である。なお、図２と同一部分には同一符号を付し、その詳細な説明は省略する。
【００５３】
この図５に示すように、第１制御回路１１は、低域通過フィルタ８ｂ、高域通過フィルタ８ｃ、パルス・直流電圧発生回路１１ａおよび低域通過フィルタ（ＬＰＦ）１１ｂを含む。すなわち第１制御回路１１は、第１実施形態におけるパルス・直流電圧発生回路８ａに代えてパルス・直流電圧発生回路１１ａを備えるとともに、低域通過フィルタ１１ｂを新たに備える。第２制御回路１２は、低域通過フィルタ９ａ、高域通過フィルタ９ｂ、非同期Ｔフリップフロップ９ｃおよび低域通過フィルタ１２ａを含む。すなわち第２制御回路１２は、第１実施形態における第２制御回路９の構成に加えて、新たに低域通過フィルタ１２ａを備える。
【００５４】
パルス・直流電圧発生回路１１ａは、第１実施形態におけるパルス・直流電圧発生回路８ａと同様な機能に加えて、被覆線路６ｂへと重畳するための直流電圧を発生する機能を備える。パルス・直流電圧発生回路１１ａは、被覆線路６ｂへと重畳するための直流電圧を低域通過フィルタ１１ｂへと与える。
【００５５】
低域通過フィルタ１１ｂは、例えばコイルなどを用いてなり、無線周波数よりも低い周波数のみを通過させる。すなわち低域通過フィルタ１１ｂは、パルス・直流電圧発生回路１１ａから与えられる直流電圧に含まれる無線周波数以上の周波数成分を阻止し、直流電圧のみを被覆線路６ｂへと重畳する。またこの低域通過フィルタ１１ｂにより、無線周波数の信号がパルス・直流電圧発生回路の直流電圧出力端子に入力されることが防止される。更に、信号線路６ａと被覆線路６ｂは互いに絶縁されているため、信号線路６ａに重畳されたパルスや直流電圧の信号がパルス・直流電圧発生回路１６ａの直流電圧出力端子に入力されることが阻止される。
【００５６】
一方、第２制御回路１２において低域通過フィルタ１２ａへは、被覆線路６ｂを伝送する信号が入力される。低域通過フィルタ１２ａは、例えばコイルなどを用いてなり、無線周波数よりも低い周波数のみを通過させる。すなわち低域通過フィルタ１２ａは、被覆線路６ｂを伝送する信号のうちの無線周波数以上の周波数成分を阻止し、直流電圧を抽出する。低域通過フィルタ１２ａにより抽出された直流電圧は、電力増幅器１０へとバイアス電圧として与えられる。
【００５７】
なお、被覆線路６ｂは本来はグラウンド用の線路であるので、高域通過フィルタ１３，１４を介して接地してある。
【００５８】
次に以上のように構成された無線通信装置の動作につき説明する。
アンテナ切替えおよび送受信切替えに関しては、第１実施形態と同様に行われる。
【００５９】
一方、送信状態において電力増幅器１０にて送信信号の増幅を行う必要があるときには、電力増幅器１０の動作電圧が必要である。そこで第１制御回路１１においてパルス・直流電圧発生回路１１ａは、図６における時刻Ｔｅのように低域通過フィルタ１１ｂへの直流電圧の出力をＯＮとする。これにより、被覆線路６ｂへと所定電圧（ここでは３Ｖとする）の直流電圧が重畳される。
【００６０】
さて、被覆線路６ｂは接地されているが、高域通過フィルタ１３，１４が介挿されているため、直流電圧に関しては、被覆線路６ｂはグラウンドと切り離されているように見える。例えば高域通過フィルタ１３，１４のリアクタンスを１／ωＣとすると、ωが十分大きい高周波ではリアクタンスはほぼ０となり、ωが０の直流ではリアクタンスは無限大となる。従って、直流電圧に関しては、被覆線路６ｂは伝送線路としての機能を果たす。なお、無線周波数などのような高周波に関しては、被覆線路６ｂはグラウンド線としての本来の機能を果たす。
【００６１】
直流電圧は、被覆線路６ｂを介して第２制御回路１２へと到達し、低域通過フィルタ１２ａにより抽出される。そして低域通過フィルタ１２ａにより抽出された直流電圧は、電力増幅器１０へと与えられる。電力増幅器１０はこのように直流電圧が第２制御回路１２から与えられていると、バイアス電圧が得られているから、送受信スイッチ５を介して与えられる送信信号の増幅を行うことができる。
【００６２】
かくして、無線送受信回路７より出力された送信信号は、信号線路６ａおよび送受信スイッチ５を介して電力増幅器１０へと伝送され、この電力増幅器１０により増幅された上で第２アンテナ２へと供給される。そしてこの送信信号が、第２アンテナ２から電磁波として空間へと放射されることで送信が行われる。
【００６３】
このように第２実施形態によれば、第１実施形態と同様な効果を達成できる。この上で第２実施形態では、送信信号を第２アンテナ２に供給する直前に増幅することができるため、信号線路６ａを伝送される際の伝送損失による送信信号の減衰を補償することができ、十分な送信電力を得ることが可能である。従って、耐雑音特性が改善し、送信品質が向上する。
【００６４】
さらに第２実施形態によれば、電力増幅器１０の動作制御のための制御線路を増設する必要がない。そして、第２制御回路１２は、直流電圧の有無に基づいて電力増幅器１０の動作制御を行うので、第２制御回路１２では直流電圧の電圧レベルやパルスの電圧レベルおよびパルス幅などを識別する必要がなく、図５に示すような簡易な構成により実現が可能である。なお、電力増幅器１０の動作制御のために被覆線路６ｂに重畳する直流電圧は無線周波数を含まないため、信号線路６ａでの無線周波数の受信信号および送信信号の伝送に影響を与えることはない。
【００６５】
また、電力増幅器１０にて増幅を行うことが必要であるときにのみ電力増幅器１０へと直流電圧を供給することから、無駄な電力消費を防いで低消費電力化が可能である。
【００６６】
（第３の実施形態）
図７は第３実施形態に係る無線通信装置の要部のブロック図である。なお、図１と同一部分には同一符号を付し、その詳細な説明は省略する。
【００６７】
この図７に示すように第３実施形態の無線通信装置は、第１アンテナ１、第２アンテナ２、ダイバーシチスイッチ３、送受信スイッチ５、給電線路６、無線送受信回路７、増幅部１５、第１制御回路１６および第２制御回路１７を含む。すなわち第３実施形態の無線通信装置は、第１実施形態の無線通信装置における低雑音増幅器４に代えて増幅部１５を備えるとともに、第１制御回路８および第２制御回路９に代えて第１制御回路１６および第２制御回路１７をそれぞれ備える。
【００６８】
増幅部１５はさらに、増幅器スイッチ１５ａ、第１低雑音増幅器１５ｂ、第２低雑音増幅器１５ｃおよび増幅器スイッチ１５ｄを含む。
増幅器スイッチ１５ａは、ダイバーシチスイッチ３を介して与えられる受信信号を第１低雑音増幅器１５ｂおよび第２低雑音増幅器１５ｃのいずれかへと第２制御回路１７から与えられる直流電圧の高低に応じて与える。
【００６９】
第１低雑音増幅器１５ｂおよび第２低雑音増幅器１５ｃはそれぞれ、増幅器スイッチ１５ａを介して与えられる無線周波数の受信信号の振幅を、第２制御回路１７から与えられる電力によって増幅する。第１低雑音増幅器１５ｂおよび第２低雑音増幅器１５ｃは、給電線路６での損失分を補償可能な利得を持つ。また第１低雑音増幅器１５ｂおよび第２低雑音増幅器１５ｃは、互いに異なる第１周波数および第２周波数のそれぞれに適した特性を有する。
【００７０】
増幅器スイッチ１５ｄは、増幅器スイッチ１５ａと連動して第１低雑音増幅器１５ｂおよび第２低雑音増幅器１５ｃのいずれか一方を選択する。増幅器スイッチ１５ｄは、選択している低雑音増幅器により増幅された後の受信信号を送受信スイッチ５へと与える。
【００７１】
第１制御回路１６は、第１実施形態における第１制御回路８と同様な機能に加えて、被覆線路６ｂへと直流電圧を重畳する機能を有する。第１制御回路１６は、受信対象とする周波数が変化する毎に被覆線路６ｂへの直流電圧の重畳をＯＮ／ＯＦＦする。
【００７２】
第２制御回路１７は、第１実施形態における第２制御回路９と同様な機能に加えて、被覆線路６ｂに重畳された直流電圧の有無に応じて第１低雑音増幅器１５ｂおよび第２低雑音増幅器１５ｃを選択的に動作させる機能を備える。
【００７３】
図８は第１制御回路１６および第２制御回路１７の具体的な構成のブロック図である。なお、図２と同一部分には同一符号を付し、その詳細な説明は省略する。
【００７４】
この図８に示すように、第１制御回路１６は、低域通過フィルタ８ｂ、高域通過フィルタ８ｃ、パルス・直流電圧発生回路１６ａおよび低域通過フィルタ（ＬＰＦ）１６ｂを含む。すなわち第１制御回路１６は、第１実施形態におけるパルス・直流電圧発生回路８ａに代えてパルス・直流電圧発生回路１６ａを備えるとともに、低域通過フィルタ１６ｂを新たに備える。第２制御回路１７は、低域通過フィルタ９ａ、高域通過フィルタ９ｂ、非同期Ｔフリップフロップ９ｃ、低域通過フィルタ１７ａおよび反転回路１７ｂを含む。すなわち第２制御回路１７は、第１実施形態における第２制御回路９の構成に加えて、新たに低域通過フィルタ１７ａおよび反転回路１７ｂを備える。
【００７５】
パルス・直流電圧発生回路１６ａは、第１実施形態におけるパルス・直流電圧発生回路８ａと同様な機能に加えて、被覆線路６ｂへと重畳するための直流電圧を発生する機能を備える。パルス・直流電圧発生回路１６ａは、被覆線路６ｂへと重畳するための直流電圧を低域通過フィルタ１６ｂへと与える。
【００７６】
低域通過フィルタ１６ｂは、例えばコイルなどを用いてなり、無線周波数よりも低い周波数のみを通過させる。すなわち低域通過フィルタ１６ｂは、パルス・直流電圧発生回路１６ａから与えられる直流電圧に含まれる無線周波数以上の周波数成分を阻止し、直流電圧のみを被覆線路６ｂへと重畳する。またこの低域通過フィルタ１６ｂにより、無線周波数の信号がパルス・直流電圧発生回路の直流電圧出力端子に入力されることが防止される。更に、信号線路６ａと被覆線路６ｂは互いに絶縁されているため、信号線路６ａに重畳されたパルスや直流電圧の信号がパルス・直流電圧発生回路１６ａの直流電圧出力端子に入力されることが阻止される。
【００７７】
一方、第２制御回路１７において低域通過フィルタ１７ａへは、被覆線路６ｂを伝送する信号が入力される。低域通過フィルタ１７ａは、例えばコイルなどを用いてなり、無線周波数よりも低い周波数のみを通過させる。すなわち低域通過フィルタ１７ａは、被覆線路６ｂを伝送する信号のうちの無線周波数以上の周波数成分を阻止し、直流電圧を抽出する。低域通過フィルタ１７ａにより抽出された直流電圧は、増幅器スイッチ１５ａ，１５ｄおよび第１低雑音増幅器１５ｂへと与えられるとともに、反転回路１７ｂへと与えられる。
【００７８】
反転回路１７ｂは、低域通過フィルタ９ａにより抽出された直流電圧により動作する。そして反転回路１７ｂは、低域通過フィルタ１７ａから与えられる直流電圧の高低を反転させる。反転回路１７ｂにより高低が反転された後の直流電圧は、第２低雑音増幅器１５ｃへと与えられる。
【００７９】
次に以上のように構成された無線通信装置の動作につき説明する。
アンテナ切替えおよび送受信切替えに関しては、第１実施形態と同様に行われる。
【００８０】
図９における期間Ｐ１１，Ｐ１２のように送受信スイッチ５が受信側を選択していて受信状態となっているとき、低域通過フィルタ９ａからは直流電圧が出力されているから、反転回路１７ｂは動作状態にある。
【００８１】
この状態において、第１周波数を受信対象とすることが無線送受信回路７から通知されているのならば、パルス・直流電圧発生回路１６ａは低域通過フィルタ１６ｂへの直流電圧の出力をＯＮとしている。これにより図９における期間Ｐ１１のように被覆線路６ｂへと所定電圧（ここでは３Ｖとする）の直流電圧が重畳される。
【００８２】
被覆線路６ｂに重畳された直流電圧は第２制御回路１７へと到達し、低域通過フィルタ１７ａにより抽出される。そして低域通過フィルタ１７ａにより抽出された直流電圧は、増幅器スイッチ１５ａ，１５ｄへと与えられる。増幅器スイッチ１５ａ，１５ｄは、このように直流電圧が第２制御回路１７から与えられていると、いずれも第１低雑音増幅器１５ｂを選択する。また低域通過フィルタ１７ａにより抽出された直流電圧は、第１低雑音増幅器１５ｂへと与えられる。第１低雑音増幅器１５ｂは、このように直流電圧が第２制御回路１７から与えられているとバイアス電圧が得られているから、増幅器スイッチ１５ａを介して与えられる送信信号の増幅を行うことができる。
【００８３】
かくして図９における期間Ｐ１１においては、ダイバーシチスイッチ３を介して与えられた受信信号は、第１低雑音増幅器１５ｂにより第１周波数に適した特性で増幅された上で、この増幅後の受信信号が信号線路６ａを介して無線送受信回路７へと与えられ、受信が行われる。
【００８４】
この状態から、受信周波数を第２周波数に変更する必要が生じた場合、その旨を無線送受信回路７が第１制御回路１６に対して通知する。これに応じて第１制御回路１６にてパルス・直流電圧発生回路１６ａが、図９における時刻Ｔｆのように被覆線路６ｂへの直流電圧の重畳をＯＦＦする。そうすると、第２制御回路１７において低域通過フィルタ１７ａでは直流電圧が抽出できなくなり、増幅器スイッチ１５ａ，１５ｄおよび第１低雑音増幅器１５ｂへの直流電圧の供給が停止される。このため増幅器スイッチ１５ａ，１５ｄは、第２低雑音増幅器１５ｃを選択するように切り換わる。また、第１低雑音増幅器１５ｂはバイアス電圧が得られなくなるため動作を停止する。
【００８５】
ところで、反転回路１７ｂへも低域通過フィルタ１７ａからは直流電圧が与えられなくなるが、低域通過フィルタ９ａからは引き続き直流電圧が供給されていて動作状態を維持する。このため反転回路１７ｂは、所定電圧（ここでは３Ｖ）の直流電圧の出力を開始する。このため、第２低雑音増幅器１５ｃはバイアス電圧が得られるようになり、増幅器スイッチ１５ａを介して与えられる受信信号の増幅を行うことができる。
【００８６】
かくして図９における期間Ｐ１２においては、ダイバーシチスイッチ３を介して与えられた受信信号は、第２低雑音増幅器１５ｃにより第２周波数に適した特性で増幅された上で、この増幅後の受信信号が信号線路６ａを介して無線送受信回路７へと与えられ、受信が行われる。
【００８７】
送信状態においては、図９における期間Ｐ１３のように直流電圧の信号線路６ａへの重畳がＯＦＦされる。また送信状態においては、パルス・直流電圧発生回路１６ａは被覆線路６ｂへの直流電圧の重畳をＯＦＦとしておく。従ってこの状態では、低域通過フィルタ１７ａでは直流電圧が抽出できないので、第１低雑音増幅器１５ｂはバイアス電圧を得ることができず動作を停止する。また低域通過フィルタ９ａで直流電圧が抽出できずに反転回路１７ｂが動作しないので、第２低雑音増幅器１５ｃはバイアス電圧を得ることができず動作を停止する。
【００８８】
このように第３実施形態によれば、第１実施形態と同様な効果を達成できる。この上で第３実施形態では、受信対象とする周波数に応じて、異なる周波数特性を持つ第１低雑音増幅器１５ｂおよび第２低雑音増幅器１５ｃを使い分けることができるため、いずれの周波数を受信する場合でも適正な増幅を行うことが可能である。この結果、２つの周波数帯において耐雑音特性が改善し、受信品質が向上する。
【００８９】
さらに第３実施形態によれば、第１低雑音増幅器１５ｂおよび第２低雑音増幅器１５ｃの選択制御のための制御線路を増設する必要がない。そして、第２制御回路１７は、直流電圧の有無に基づいて第１低雑音増幅器１５ｂおよび第２低雑音増幅器１５ｃの選択制御を行うので、第２制御回路１７では直流電圧の電圧レベルやパルスの電圧レベルおよびパルス幅などを識別する必要がなく、図８に示すような簡易な構成により実現が可能である。
【００９０】
また、受信状態においてのみ第１低雑音増幅器１５ｂおよび第２低雑音増幅器１５ｃのいずれか一方へと直流電圧を供給することから、無駄な電力消費を防いで低消費電力化が可能である。
【００９１】
なお、本発明は前記各実施形態に限定されるものではなく、各実施形態は以下のような各種の変形例のように変形して実施が可能である。
【００９２】
（第１の変形例）
図１０は第１変形例に係る無線通信装置のブロック図である。この第１変形例は第１実施形態をベースとしており、図１と同一部分には同一符号を付し、その詳細な説明は省略する。
【００９３】
この図１０に示すように第１変形例の無線通信装置は、第１アンテナ１、第２アンテナ２、ダイバーシチスイッチ３、低雑音増幅器４、送受信スイッチ５、給電線路６、無線送受信回路７、第１制御回路８、第２制御回路９および低雑音増幅器１８を含む。すなわちこの第１変形例の無線通信装置は、第１実施形態の無線通信装置の構成に加え、新たに低雑音増幅器１８を備える。
【００９４】
低雑音増幅器１８は、第１アンテナ１とダイバーシチスイッチ３との間に介挿して設けられている。低雑音増幅器１８は、第１アンテナ１で得られる受信信号を、ダイバーシチスイッチ３に与えられるのに先立って増幅する。低雑音増幅器１８は、低雑音増幅器４へと第２制御回路９から与えられる直流電圧をバイアス電圧として受けて、低雑音増幅器４と同時に動作する。
【００９５】
かくして、第１アンテナ１を使用しての受信を行う際には、第１アンテナ１で得られた受信信号が低雑音増幅器１８および低雑音増幅器４で順次増幅された上で、この増幅後の受信信号が給電線路６を介して無線送受信回路７へと与えられ、受信が行われる。
【００９６】
このように第１変形例によれば、第１アンテナ１から低雑音増幅器４まで伝送される際の受信信号の損失を低雑音増幅器１８により補償することが可能となる。このため、第１アンテナ１と低雑音増幅器４との間の距離を大きくすることが可能となり、第１アンテナ１の配置に関する自由度が向上する。
【００９７】
なおこの第１変形例は、第２実施形態および第３実施形態にも同様に適用が可能である。
【００９８】
（第２の変形例）
図１１は第２変形例に係る無線通信装置のブロック図である。この第１変形例は第１実施形態をベースとしており、図１と同一部分には同一符号を付し、その詳細な説明は省略する。
【００９９】
この図１１に示すように第２変形例の無線通信装置は、第１アンテナ１、第２アンテナ２、ダイバーシチスイッチ３、低雑音増幅器４、送受信スイッチ５、給電線路６、無線送受信回路７、第１制御回路８および第２制御回路９を含む。すなわちこの第１変形例の無線通信装置は、第１実施形態の無線通信装置の構成要素は同一である。
【０１００】
この第２変形例の無線通信装置が第１実施形態の無線通信装置と異なっているのは、無線送受信回路７および第１制御回路８を含めて第１無線ユニット１００を構成するとともに、ダイバーシチスイッチ３、低雑音増幅器４、送受信スイッチ５および第２制御回路９を含めて第２無線ユニット２００を構成していることにある。
【０１０１】
そしてこのような構成をなしていることにより第２変形例の無線通信装置は、例えば図１２に示すような状態で電子機器に搭載するのに適する。
図１２に示す電子機器は、本体部３００と表示部４００とをヒンジ部５００を介して連結した構造を有する。本体部３００には、この電子機器を動作させるための主要な回路（図示せず）や、キーボード３０１などのようなユーザインタフェースが配置されている。表示部４００には、ＬＣＤなどのような大型の表示デバイス４０１が配置されている。
【０１０２】
このような電子機器に搭載するにあたり図１２では、第１無線ユニット１００を本体部３００の内部に収容し、第２無線ユニット２００と第１アンテナ１および第２アンテナ２とを表示部４００の内部に収容している。そして、給電線路６をヒンジ部５００を通して配置している。
【０１０３】
このような配置とすることにより、給電線路６が長くなるが、給電線路６での伝送損失を低雑音増幅器４により補償することができるから、良好な受信品質を実現できる。さらに、第１アンテナ１および第２アンテナ２を放射特性がより良くなるような位置に配置することができるから、良好な通信品質を実現できる。
【０１０４】
この上で給電線路６は１本のみであるから、その配置により他のデバイスの配置に与える影響は少なくて済む。
【０１０５】
また表示部４００に収容される第２無線ユニット２００に収容される回路の規模は小さいため、第２無線ユニット２００は小型とすることが可能で、表示デバイス４０１の配置に与える影響を少なくすることができる。
【０１０６】
なおこの第２変形例は、給電線路６の一端側に存在する部分と他端側に存在する部分とをそれぞれ別々の無線ユニットとして構成することで、第２実施形態および第３実施形態にも適用が可能である。
【０１０７】
（第３の変形例）
図１３は第３変形例に係る無線通信装置の構造を示す斜視図である。なお、図１と同一部分には同一符号を付する。
この第３変形例は、前記の各実施形態における第１アンテナ１および第２アンテナ２としてスロットアンテナを用いるものである。そして図１３（ａ）に示すように、スロットアンテナよりなる第１アンテナ１および第２アンテナ２を、筐体６００の異なる角部の近傍にて筐体６００の内部に配置している。なお筐体６００は、この無線通信装置自体あるいはこの無線通信装置が搭載される電子機器のもの等である。
【０１０８】
図１３（ｂ）は、第１アンテナ１および第２アンテナ２として用いるスロットアンテナの構造を示す斜視図である。
この図１３に示すようにスロットアンテナは、方形導波管キャビティ１９の２つの辺にそれぞれスロット２０ａ，２０ｂを設けている。さらに、スロット２０ａ，２０ｂの対面に給電孔２１を設けて同軸給電線路２２を接続する。方形導波管キャビティ１９は、薄い導体壁で作られた直方体であり、内部に電磁界を閉じ込めて共振させることができる。同軸給電線路２２は、内導体と外導体から構成され、内導体の先端の一部が給電孔２１を突き抜け、外導体は方形導波管キャビティ１９に接続される。
【０１０９】
このスロットアンテナでは、同軸給電線路２２を伝搬してきた無線周波数の信号は給電孔２１を通り、電磁界として方形導波管キャビティ１９内に放射され、方形導波管キャビティ１９の内部で共振し、スロット２０ａ，２０ｂと結合した電磁界が電磁波として外部に放射される。これにより、水平面内（スロット２０ａ，２０ｂに平行な面内）に無指向性の垂直偏波を放射することができる。
【０１１０】
このように第１アンテナ１および第２アンテナ２として用いるスロットアンテナを用いることにより、第１アンテナ１および第２アンテナ２の配置に関する自由度が向上し、筐体６００内での他のデバイスの配置への影響を軽減しつつ、より良好なアンテナ特性を発揮し得る配置を行い易くすることができる。
【０１１１】
このほか、本発明の要旨を逸脱しない範囲で種々の変形実施が可能である。
例えば、直流電圧の重畳のＯＮ／ＯＦＦを短期間のみ変化させることとし、その変化を検出したならば各種スイッチの切替えやバイアスの供給のＯＮ／ＯＦＦの切替えを行うようにしても良い。
また、信号線路６ａへの直流電圧の重畳状況に応じてアンテナ切替えを行い、パルスの重畳状況に応じて送受信切替えを行うようにしても良い。
また、非同期Ｔフリップフロップ９ｃに与える動作電圧をえるために直流電圧を抽出する低域通過フィルタは低域通過フィルタ９ａとは別に設けるようにしても良い。
また、低雑音増幅器４や非同期Ｔフリップフロップ９ｃの動作電圧は、別途の電源線から得るようにしても良い。
【０１１２】
【発明の効果】
本発明によれば、無線送受信回路側とアンテナ側とを給電線路を介して接続する構成ながら、アンテナ側における複数の制御対象の無線送受信回路側からの制御を簡易な構成により実現できる無線通信装置を提供することができる。
【図面の簡単な説明】
【図１】第１実施形態に係る無線通信装置の要部のブロック図。
【図２】図１における第１制御回路８および第２制御回路９の具体的な構成のブロック図。
【図３】第１実施形態に係る無線通信装置の動作タイミングのタイミング図。
【図４】第２実施形態に係る無線通信装置の要部のブロック図。
【図５】図４中の第１制御回路１１および第２制御回路１２の具体的な構成のブロック図。
【図６】第２実施形態に係る無線通信装置の動作タイミングのタイミング図。
【図７】第３実施形態に係る無線通信装置の要部のブロック図。
【図８】図７中の第１制御回路１６および第２制御回路１７の具体的な構成のブロック図。
【図９】第２実施形態に係る無線通信装置の動作タイミングのタイミング図。
【図１０】第１変形例に係る無線通信装置のブロック図。
【図１１】第２変形例に係る無線通信装置のブロック図。
【図１２】第２変形例の無線通信装置の電子機器への搭載状態の一例を示す。
【図１３】第３変形例に係る無線通信装置の構造を示す斜視図。
【符号の説明】
１…第１アンテナ
２…第２アンテナ
３…ダイバーシチスイッチ
４…低雑音増幅器
５…送受信スイッチ
６…給電線路
６ａ…信号線路
６ｂ…被覆線路
７…無線送受信回路
８…第１制御回路
８ａ…パルス・直流電圧発生回路
８ｂ…低域通過フィルタ（ＬＰＦ）
８ｃ…高域通過フィルタ（ＨＰＦ）
９…第２制御回路
９ａ…低域通過フィルタ（ＬＰＦ）
９ｂ…高域通過フィルタ（ＨＰＦ）
９ｃ…非同期Ｔフリップフロップ
１０…電力増幅器
１１…第１制御回路
１１ａ…パルス・直流電圧発生回路
１１ｂ…低域通過フィルタ（ＬＰＦ）
１２…第２制御回路
１２ａ…低域通過フィルタ（ＬＰＦ）
１３，１４…高域通過フィルタ
１５…増幅部
１５ａ，１５ｄ…増幅器スイッチ
１５ｂ…第１低雑音増幅器
１５ｃ…第２低雑音増幅器
１６…第１制御回路
１６ａ…パルス・直流電圧発生回路
１６ｂ…低域通過フィルタ（ＬＰＦ）
１７…第２制御回路
１７ａ…低域通過フィルタ（ＬＰＦ）
１７ｂ…反転回路
１８…低雑音増幅器
１９…方形導波管キャビティ
２０ａ，２０ｂ…スロット
２１…給電孔
２２…同軸給電線路
１００…第１無線ユニット
２００…第２無線ユニット
３００…本体部
３０１…キーボード
４００…表示部
４０１…表示デバイス
５００…ヒンジ部
６００…筐体
【図１】
2004153310.tif 000003
【図２】
2004153310.tif 000004
【図３】
2004153310.tif 000005
【図４】
2004153310.tif 000006
【図５】
2004153310.tif 000007
【図６】
2004153310.tif 000008
【図７】
2004153310.tif 000009
【図８】
2004153310.tif 000010
【図９】
2004153310.tif 000011
【図１０】
2004153310.tif 000012
【図１１】
2004153310.tif 000013
【図１２】
2004153310.tif 000014
【図１３】
2004153310.tif 000015